(57)【特許請求の範囲】
【請求項１】
人体に作用させる波動を生成するための電気信号を生成する電気信号生成装置であって、
低周波である基底波と、前記基底波よりも高い周波数の高調波を前記基底波に合成した所定単位の合成波を生成する合成波生成部と、
前記合成波を用いて生成された電気信号を所定種類の波動に変換して人体に伝搬させる波動出力パッドに出力する電気信号出力部と、を備え、
前記電気信号出力部は、
前記波動出力パッドにおける前記波動の作用する位置を時間経過に従って変化するように前記電気信号を出力し、前記波動出力パッドが複数の連続する電極部を有する場合、主として電荷を掛ける第１の電極部に隣接する第２の電極部および第３の電極部に対しては、前記第１の電極部よりも微弱な強度の電流を流すことで、前記電極部の穏やかな移動の印象を与える
ことを特徴とする電気信号生成装置。
【請求項２】
人体に作用させる波動を生成するための電気信号を生成する電気信号生成装置であって、
前記電気信号を所定種類の波動に変換して人体に伝搬させる波動出力パッドに出力する電気信号出力部を備え、
前記電気信号出力部は、
前記波動出力パッドにおける前記波動の作用する位置を時間経過に従って変化するように前記電気信号を出力し、前記波動出力パッドが複数の連続する電極部を有する場合、主として電荷を掛ける第１の電極部に隣接する第２の電極部および第３の電極部に対しては、前記第１の電極部よりも微弱な強度の電流を流すことで、前記電極部の穏やかな移動の印象を与える
ことを特徴とする電気信号生成装置。
【請求項３】
人体に作用させる波動を生成するための電気信号を生成する電気信号生成装置であって、
低周波である基底波と、前記基底波よりも高い周波数の高調波を前記基底波に合成した所定単位の合成波を生成する合成波生成部と、
前記合成波を用いて生成された電気信号を所定種類の波動に変換して人体に伝搬させる波動出力パッドに出力する電気信号出力部と、を備え、
前記電気信号出力部は、
前記波動出力パッドにおける前記波動の作用する位置を時間経過に従って変化するように前記電気信号を出力し、前記波動出力パッドが複数の連続する電極部を有する場合、主として電荷を掛ける第１の電極部には前記基底波のみの波形から生成された電気信号を出力し、前記第１の電極部に隣接する第２の電極部および第３の電極部に対しては、前記基底波および前記高調波を合成した前記合成波を用いて生成した電気信号を出力することで、前記第１の電極部よりも前記第２の電極部および前記第３の電極部から前記人体に与えられる刺激を弱め、前記電極部の穏やかな移動の印象を与える
ことを特徴とする電気信号生成装置。
【請求項４】
請求項１または３に記載の電気信号生成装置であって、
前記所定単位の合成波を組み合わせた調整後の合成波を生成する調整変換部をさらに備える
ことを特徴とする電気信号生成装置。
【請求項５】
請求項１または３に記載の電気信号生成装置であって、
前記合成波生成部は、
前記高調波の出力強度の割合である深度を調整した前記合成波を生成する
ことを特徴とする電気信号生成装置。
【請求項６】
請求項１、３〜５のいずれか一項に記載の電気信号生成装置であって、
前記合成波生成部は、
前記高調波に形成する波形なまりの分布位置を調整した前記合成波を生成する
ことを特徴とする電気信号生成装置。
【請求項７】
請求項１、３〜６のいずれか一項に記載の電気信号生成装置であって、
前記合成波生成部は、
人の音声を高調波として前記基底波と合成した合成波を生成する
ことを特徴とする電気信号生成装置。
【請求項８】
請求項７に記載の電気信号生成装置であって、
前記音声は、母音である
ことを特徴とする電気信号生成装置。
【請求項９】
請求項７または８に記載の電気信号生成装置であって、
前記音声は、治療を受ける人自身の音声である
ことを特徴とする電気信号生成装置。
【請求項１０】
請求項８に記載の電気信号生成装置であって、
前記電気信号出力部は、
前記音声の整数倍の周波数に相当する倍音の波形を示す電気信号を前記母音の高調波を示す波形の電気信号と共に前記波動出力パッドに出力する
ことを特徴とする電気信号生成装置。
【請求項１１】
請求項１、３〜１０のいずれか一項に記載の電気信号生成装置であって、
前記波動は、電流、音波および電磁波であって、
前記波動出力パッドは、前記合成波の電気信号を変換して前記電流、前記音波および前記電磁波のいずれか又はこれらを組み合わせた波動を人体に伝搬させる
ことを特徴とする電気信号生成装置。
【請求項１２】
請求項１、３〜１１のいずれか一項に記載の電気信号生成装置であって、
前記電気信号出力部は、
前記電気信号に位相差が生じるように前記波動出力パッドに出力する
ことを特徴とする電気信号生成装置。
【請求項１３】
請求項１に記載の電気信号生成装置であって、
前記波動の作用する位置の変化は、時計回り、または、反時計回りのいずれかである
ことを特徴とする電気信号生成装置。
【請求項１４】
請求項３に記載の電気信号生成装置であって、
前記波動の作用する位置の変化は、時計回り、反時計回りおよび横並び方向のいずれかである
ことを特徴とする電気信号生成装置。
【請求項１５】
請求項１、３〜１４のいずれか一項に記載の電気信号生成装置であって、
前記高調波の出力強度の割合を所定単位あたりの波形の位置に対応付けて記憶した波形マスター情報を記憶した記憶部をさらに備え、
前記高調波における前記波形なまりの分布位置は、前記波形マスター情報に基づき決定される
ことを特徴とする電気信号生成装置。
【請求項１６】
請求項１、３〜１５のいずれか一項に記載の電気信号生成装置であって、
前記電気信号出力部は、
前記波動を人体に出力した施術の開始から所定時間経過後に波動を出力しないインターバル時間を設ける
ことを特徴とする電気信号生成装置。
【請求項１７】
請求項１、３〜１６のいずれか一項に記載の電気信号生成装置であって、
前記合成波生成部は、
前記波動を人体に出力した施術の開始時と、施術の開始から所定時間経過後に波動を出力しないインターバル時間への移行時、当該インターバル時間からの復帰時および施術の終了時に出力強度を緩やかに変化させた合成波を生成する
ことを特徴とする電気信号生成装置。
【請求項１８】
請求項１、３〜１７のいずれか一項に記載の電気信号生成装置であって、
外部装置からの制御指示を取得する通信部と、
所定情報を記憶する記憶部と、
前記制御指示に基づいて前記所定情報の登録内容を変更する変更部と、をさらに備え、
前記記憶部には、前記高調波の出力強度の割合である深度、前記高調波に形成する波形なまり、および、前記波動を出力しないインターバル時間の情報が記憶され、
前記変更部は、
前記制御指示に基づいて、前記記憶部に記憶されている前記深度、前記波形なまり、および、前記インターバル時間に関する登録内容の変更を行う
ことを特徴とする電気信号生成装置。
【発明の詳細な説明】
【技術分野】
【０００１】
本発明は、電気信号生成装置に関する。
【背景技術】
【０００２】
近年、皮膚表面に低周波（１２００Ｈｚ以下）の微弱な電流を流して、その刺激により身体の痛みを緩和したり、筋肉のコリの解消を行う低周波治療が民間療法として知られつつある。
【０００３】
また、低周波治療で流す微弱電流に比べて更に微弱な電流（マイクロカレント）を人体に流すことで、骨や筋肉などの損傷の修復や回復を行う療法がある。かかる療法は、特にプロスポーツ選手やアスリートのケガや痛みの治療に効果があるとしてメディアでも多く取り上げられており、認知度も高まりつつある。
【０００４】
なお、下記の特許文献１には、低周波治療に用いる装置が記載されている。
【先行技術文献】
【特許文献】
【０００５】
【特許文献１】特開２０１７−１９２５４５号公報
【発明の概要】
【発明が解決しようとする課題】
【０００６】
人間の体は生体電流を発生している。そして、外部から電気的な刺激を加えられると敏感に反応して変化を起こす性質がある。その作用を利用して、体に電気を流すことで筋肉を縮めたり緩めたりするポンプ作用を働きかけ血液の流れを促進するのが低周波治療器である。このように、低周波は、電気刺激によって筋肉を動かすものである。そのため、筋肉の損傷を発生することもある。近年、例えば、マッサージにより筋肉や腱を刺激することにより筋肉や腱に損傷を起こしさらなる疲労を引き起こすことになるとも言われている。一方で、マイクロカレントは、それとはまったく異なる。まず、低周波は弱い刺激とは言え、使用者はそれを感じることができる。一方のマイクロカレンントは、さらに微弱で、生体には感じない程度の電流である。また、低周波は熱を持っている場所には使えないが、マイクロカレント療法はその場合でも使うことができる。熱を持っていたり、違和感を感じるというのは、ケガの一歩手前の状態であり、マイクロカレント両方はそういう時に使うと有効と言われており、逆に損傷して時間が経ってある程度痛みが固まってしまって慢性化した箇所にも非常に役立と言われている。また、組織が損傷した時に生じる損傷電流というものがある。マイクロカレントを人工的に流すことによって、損傷電流同様に組織の損傷を修復するための物質や細胞を損傷箇所に集めることができ、修復が早められると言われている。低周波治療器と、マイクロカレント療法には、このような各々の特徴がある。しかし、これらの機能を同時に取り入れた機器は存在していない。また、低周波治療の現状は、万人が満足できる治療を受けられているとは言い難い。例えば、既存の低周波治療器には、人体に印加する電流が微弱であっても、人によって刺激や痛みを感じてしまうという問題がある。この要因の一つは、人体に流れる低周波のパルス電流の立ち上がりが急峻であるために、人体が電流の刺激を感じてしまうためと考えられる。一方で、刺激や痛みを与えないようにするために、低周波の微弱電流など人体に作用させる波動の強さを弱めれば、肝心の治療効果まで得られ難くなってしまうという問題もある。そのため、治療効果が見込め、かつ、多くの人がより満足した治療を受けられる波動の生成に関する技術の提供が望まれている。
【０００７】
なお、特許文献１には、高周波数域および低周波数域のパルス電流を使い分けて人体に作用させる低周波治療器が開示されている。しかしながら、同文献には、人体に作用させる波動をより細かく制御することにより、多くの人がより満足した治療を受けられる波動の生成については開示されていない。
【０００８】
そこで、本発明は、多くの人がより満足した治療を受けられる波動を生成することを目的とする。
【課題を解決するための手段】
【０００９】
本願は、上記課題の少なくとも一部を解決する手段を複数含んでいるが、その例を挙げるならば、以下のとおりである。上記の課題を解決する本発明の一態様に係る電気信号生成装置は、人体に作用させる波動を生成するための電気信号を生成する電気信号生成装置であって、低周波である基底波と、前記基底波よりも高い周波数の高調波を前記基底波に合成した所定単位の合成波を生成する合成波生成部と、前記合成波を用いて生成された電気信号を所定種類の波動に変換して人体に伝搬させる波動出力パッドに出力する電気信号出力部と、を備え、前記電気信号出力部は、前記波動出力パッドにおける前記波動の作用する位置を時間経過に従って変化するように前記電気信号を出力し、前記波動出力パッドが複数の連続する電極部を有する場合、主として電荷を掛ける第１の電極部に隣接する第２の電極部および第３の電極部に対しては、前記第１の電極部よりも微弱な強度の電流を流すことで、前記電極部の穏やかな移動の印象を与えることを特徴とする。
【発明の効果】
【００１０】
本発明によれば、多くの人がより満足した治療を受けられる波動を生成することができる。
【００１１】
なお、上記以外の課題、構成および効果等は、以下の実施形態の説明により明らかにされる。
【図面の簡単な説明】
【００１２】
【図１】電気信号生成装置および波動出力パッドの構成の一例を示したブロック図である。
【図２】ディスプレイに表示された画面情報の一例を示した図である。
【図３】波形マスター情報の一例を示した図である。
【図４】電気信号生成装置で生成された合成波の一例を示した図である。
【図５】電気信号生成装置で生成された合成波の一例を示した図である。
【図６】電気信号生成装置で生成された合成波の一例を示した図である。
【図７】電気信号生成装置で生成された合成波の一例を示した図である。
【図８】電気信号生成装置のハードウェア構成の一例を示した図である。
【図９】図９（ａ）は、電流波動作用部と音波波動作用部とを備えた波動出力パッドを示した図である。図９（ｂ）は、音波波動作用部と電磁波波動作用部とを備えた波動出力パッドを示した図である。
【図１０】電極の位置が移動する波動出力パッドの第１の例を示した図である。
【図１１】図１１（ａ）は、電極の移動タイミングに関する第１の例を示した図である。図１１（ｂ）は、電極の移動タイミングに関する第２の例を示した図である。図１１（ｃ）は、電極の移動タイミングに関する第３の例を示した図である。
【図１２】図１２（ａ）は、電極の移動タイミングに関する第４の例を示した図である。図１２（ｂ）は、電極の移動タイミングに関する第５の例を示した図である。
【図１３】図１３（ａ）は、電極の位置が移動する波動出力パッドの第２の例を示した図である。図１３（ｂ）は、電極の位置が移動する波動出力パッドの第３の例を示した図である。図１３（ｃ）は、電極の位置が移動する波動出力パッドの第４の例を示した図である。
【図１４】基底波に形成した波形なまりの一例を示した図である。
【図１５】図１５（ａ）は、基底波の上端形状に合わせて高調波を合成した合成波の第１の一例を示した図である。図１５（ｂ）は、基底波の上端形状に合わせて高調波を合成した合成波の第２の例を示した図である。
【図１６】人間の発する母音の各波形を示した図である。
【図１７】図１７（ａ）は、音声（母音）の波形を基底波の上端に合成した合成波の波形の一例を示した図である。図１７（ｂ）は、音声（母音）の波形の上限値を基底波の上端形状に沿わせた合成波の波形の一例を示した図である。
【図１８】波動出力パッドの他の一例を示した図である。
【図１９】インターバル時間を設け、状況に応じて出力強度を緩やかに変化させた波形を示す図である。
【図２０】異なる波動種類の出力タイミングの一例を示した図である。
【図２１】正弦波の基底波に音波を合成した合成波の一例を示した図である。
【図２２】位相差を設けて出力された波動の波形の一例を示した図である。
【発明を実施するための形態】
【００１３】
以下、本発明の例である各実施形態について図面を用いて説明する。
【００１４】
＜第一実施形態＞
図１は、本実施形態に係る電気信号生成装置１００および波動出力パッド２００の構成の一例を示したブロック図である。電気信号生成装置１００と波動出力パッド２００とは、銅線ケーブルなどで相互に電気的に接続されており、電気信号生成装置１００で生成された電気信号は波動出力パッド２００で所定種類の波動に変換されて出力される。なお、波動の種類には、電流、音波および電磁波などがある。なお、電気信号生成装置１００および波動出力パッド２００は、一体として構成されていても良く、バッテリーを用いてより小型に形成されていても良い。また、電気信号生成装置１００は、外部装置からの制御を受け付けて、所定情報（例えば、後述の波形マスター情報など）の登録内容を変更する機能部を有していても良い。ここでは、電気信号生成装置１００および波動出力パッド２００の基本的な機能および構成を例示している。
【００１５】
電気信号生成装置１００は、波動出力パッド２００で所定種類の波動に変換される電気信号を生成する装置である。具体的には、電気信号生成装置１００は、低周波（例えば０．２Ｈｚ〜１０ＫＨｚ、好ましくは０．３Ｈｚ〜３ＫＨｚ、より好ましくは０．５Ｈｚ〜１．２ＫＨｚ、以下「基底波」という）信号の波形と、高周波（例えば１ＫＨｚ〜２０ＫＨｚ、好ましくは３ＫＨｚ〜１５ＫＨｚ、より好ましくは４ＫＨｚ〜１２ＫＨｚ、音声や楽器の場合は１００Ｈｚ〜２０ＫＨｚの帯域、または、これらの混成音、以下「高調波」という）信号の波形とを合成した合成波の電気信号を生成する。なお、高周波の周波数は、低周波の周波数の５倍以上（音声や楽器の場合は、高強度の振幅部分の周期による周波数）であり、例えば１０〜２０００倍、好ましくは１００〜１０００倍、より好ましくは３００〜７００倍または１０〜１００倍、３０〜３００倍、５０〜５００倍であっても良い。なお、低周波が例えば１ＫＨｚ以上の場合は高調波を付加しないようにしても良い。また、例えば、５ＫＨｚ〜１０ＫＨｚ（変動幅は、±２０Ｈｚ以内）のいずれかの固定周波数の高調波を合成波とすることで電気刺激を軽減させると共に、低周波刺激（例えば、筋肉、腱などに対する刺激）と高調波刺激（例えば、内臓や細胞組織などに対する刺激）が同時に加わり、両方の効果を上げるようにしても良い。また、例えば音声の場合は音声周波数帯１００Ｈｚ〜８ＫＨｚの音をそのまま合成波としても良い。また、電気信号生成装置１００は、かかる電気信号を波動出力パッド２００に伝送し、波動出力パッド２００を介して所望の波形形状を示す波動を人体に伝搬させる。
【００１６】
このような電気信号生成装置１００は、図示するように、入力受付部１１０と、表示部１２０と、設定情報登録部１３０と、入出力部１４０と、記憶部１５０と、制御部１６０とを有している。
【００１７】
入力受付部１１０は、電気信号生成装置１００および波動出力パッド２００を利用するユーザからの入力を受け付ける機能部である。具体的には、入力受付部１１０は、電気信号生成装置１００が備えるタッチパネルやハードスイッチといった入力装置を介して、波動種類、治療目的、波動の強さおよび施術の所要時間などの入力を受け付ける。
【００１８】
表示部１２０は、電気信号生成装置１００が備える表示装置（ディスプレイ）に表示する画面情報を生成する機能部である。
【００１９】
図２は、ディスプレイに表示された画面情報の一例を示した図である。図示するように、表示部１２０は、治療に関する設定情報１５３の入力を受け付けるメニュー画面４００の画面情報を生成し、ディスプレイに表示する。なお、メニュー画面４００は、複数の設定項目を有している。例えば、「１．前回の選択で開始する」という項目は、前回設定した設定情報１５３を用いて治療を行う際に選択される項目である。また、「２．目的で選ぶ」は、表示領域４１０に表示されている複数の治療目的のいずれかを設定する際に選択される項目である。例えば、「２．目的で選ぶ」が選択されると、「１．治癒」、「２．改善」、「３．健康」、「４．増強」、「５．その他」といった治療目的を選択できるようになる。
【００２０】
また、治療目的のいずれかが選択されると、より詳細な治療目的の設定項目が選択可能に表示される。例えば、「１．治癒」が選択されると、表示領域には、損傷（皮膚）、損傷（筋肉）、損傷（骨）、病原菌、ウィルス性といったより詳細な治療目的が表示される。なお、「２．改善」には、例えば胃腸、高血圧、貧血、糖尿病といったより詳細な治療目的がある。また、「３．健康」には、例えば筋肉のコリの改善からの健康増進、ストレスの改善からの健康増進、血行の改善からの健康増進といったより詳細な治療目的（例えば、施術目的、刺激目的などと表現しても良い。）がある。また、「４．増強」には、例えば腹筋に刺激を与えて筋肉を増強、ハムストリングに刺激を与えて筋肉を増強といったより詳細な治療目的がある。なお、「５．その他」は、例えばテストモードが割り当ており、一定の周波数と強度によってユーザの身体の感じ方をチェックする波動が出力され、使い始めの使用感を確認したり、体調チェックや外部音声による入力強度のテストに用いられる。
【００２１】
また、「３．強度」は、波動出力パッド２００から出力される波動の波形の強さの形式を設定する際に選択される項目である。例えば、「３．強度」が選択されると、「ハード」、「ミディアム」、「ソフト」、「超ソフト」といった所定の強度レベルを設定できるようになる。
【００２２】
また、ステータス表示領域４２０には、経過時間および所要時間と、現在強度および選択強度および停止中など所定のステータスが表示される。経過時間は、施術開始からの経過時間を示している。所要時間は、１回当たりの治療にかかる時間を示している。なお、所要時間は、選択された治療目的に応じて予め決まっているが、図示しない表示項目からユーザ自身が設定したものであっても良い。
【００２３】
現在強度は、現時点における波動の出力強度を示している。選択強度は、設定されている治療目的に対応付けられている強度を示している。通常、施術開始直後は弱い強度から始まり、徐々に強度が強くなっていくため、現時点における強度が現在強度として表示される。停止中は、現在、波動出力パッド２００からの波動の出力が停止されているか否かを示している。
【００２４】
また、メニュー画面４００には、治療を開始する際に押下される「ＳＴＡＲＴ」ボタン４３０と、治療を停止する際に押下される「ＳＴＯＰ」ボタン４４０と、選択する項目や設定する時間などを操作するボタン（プラスボタンおよびマイナスボタン）４５０が表示されている。使用を一時停止する際は、ＳＴＯＰボタンを押して停止中とする。停止中は、表示を点滅させたり表示音が鳴るようにしても良い。また、一時停止させる専用の一時停止ボタンを設けても良い。また、一時停止後の再開は、ＳＴＡＲＴボタンを押すことで再開するように制御しても良いし、専用の再開ボタンを設けても良い。また、使用状態をリセットするためのリセットボタンを設けても良い。
【００２５】
なお、図示しないものの、ディスプレイには、これらの項目以外にも様々な情報が表示されている。例えば、波動出力パッド２００から出力される波動の種類を設定するための項目や、複数の波動あるいは複数の治療目的を組み合わせる設定を行うための項目など、様々な設定項目が表示されている。
【００２６】
設定情報登録部１３０は、設定情報を登録する機能部である。具体的には、設定情報登録部１３０は、メニュー画面４００を介してユーザが選択した波動種類や治療目的などを登録した設定情報１５３を生成し、記憶部１５０に格納する。なお、ユーザが設定および変更できる範囲を少なくし、安全性を高めると同時に簡易性を高めるために、予め記憶部１５０内に所定の設定値を登録した設定情報を記憶しておいても良い。
【００２７】
記憶部１５０は、様々な情報を格納する機能部である。具体的には、記憶部１５０は、治療目的ＩＤ情報１５１と、波形マスター情報１５２と、設定情報１５３とを有している。
【００２８】
治療目的ＩＤ情報１５１は、治療目的と、治療目的ごと対応付けられているＩＤとを有している。治療目的ＩＤ情報１５１は、例えば「治癒−損傷（皮膚）」という治療目的と、「００１」というＩＤとが対応付けられた情報を有している。
【００２９】
図３は、波形マスター情報１５２の一例を示した図である。波形マスター情報１５２は、治療目的に応じた様々な波形形状の電気信号を生成するための情報が登録されている。具体的には、波形マスター情報１５２は、治療目的ＩＤ１５２ａと、治療名称１５２ｂと、組み合わせエントリー１５２ｃの順番に応じて予め設定されている複数の基底波周波数１５２ｄと、各々の基底波周波数１５２ｄに対応付けられている高調波周波数１５２ｅおよび波形なまり１５２ｆと、が対応付けられたレコードを有している。
【００３０】
治療目的ＩＤ１５２ａは、治療目的を識別する情報であって、治療目的ＩＤ情報１５１のＩＤと共通の情報である。治療名称１５２ｂは、治療の名称を示す情報であって、メニュー画面に治療名称として表示される。また、治療種類に応じて複数の組み合わせエントリーが対応付けられている。ここで、組み合わせエントリーは、治療種類に応じてどのような周波数および波形の電気信号を組み合わせて施術するのかを定義した情報である。具体的には、各々の組み合わせエントリーには、治療ごとに予め設定されている基底波および高調波の周波数および波形形状を決定する波形なまりに関する情報が登録されている。このような各組み合わせエントリーの情報は、例えば１周期分の波形を生成するための情報である。すなわち、組み合わせエントリーの番号（１〜ｎ）ごとに、各々異なる１周期分（例えば、同一の場合もある）の波形を生成するための基底波および高調波の周波数と、波形なまりに関する情報が登録されている。なお、各組み合わせエントリーの情報に基づいて生成された波形をどの順番で組み合わせ、各々の波形を何周期分生成するのか、といった情報は、例えば治療種類に応じた組み合わせパターンが予め記憶部１５０に記憶されていても良く、ユーザによってメニュー画面を介して設定されても良い。あるいは、施術の開始から時間経過に従って組み合わせエントリーの「１」番目から「ｎ」番目まで順に制御部１６０によって読み込まれ、各組み合わせエントリーに登録されている情報に基づいた電気信号の波形が形成されても良い。
【００３１】
また、基底波周波数１５２ｄは、基底波（低周波）の周波数を示す情報である。また。高調波周波数１５２ｅは、高調波（高周波）の周波数を示す情報であって、波形種類（例えば、矩形波、波型波、三角波など）が対応付けられている（図示せず）。なお、高調波の出力強度は、波形なまりの登録値に基づき調整される。波形なまりは高調波の出力に対する割合を示した設定値（変化係数）を持っており、基底波の各波形中の一波形に対する波形位置に応じた高調波の出力強度を変化させる。なお、ここでは、波形なまりの設定値（変化係数）は各組み合わせエントリーの高調波ごとに設定されているが、治療目的ＩＤごとに１つ、すなわち各組み合わせエントリーに共通の１つの設定値が設定されていても良く、あるいは更に簡易的に全ての治療目的ＩＤに共通の１つの設定値が設定されていても良い。
【００３２】
なお、基底波は基本的に矩形波であり、高調波は、矩形波や波型波、三角波などである。また、これらの波形は、出力強度（例えば、電圧）の値が０である基準線の上下に分かれて各々形成される。そのため、上側の基底波といった場合は、基準線の上側に位置する基底波のことを指し、下側の基底波といった場合は、基準線の下側に位置する基底波のことを指すものとする。また、基底波出力強度および高調波出力強度の上端といった場合は、基準線から遠い側（出力強度の絶対値が大きい側）の波形端部であり、下端といった場合は基準線に近い側（出力強度の絶対値が小さい側）の波形端部であるものとする。
【００３３】
また、合成波において、基底波に合成される高調波の合成位置は、基底波の上限値と高調波の下限値に基づき決定される。例えば、基底波の上限値と高調波の下限値とが同じ場合には、基底波の上端に高調波の下端が位置するように合成され、基底波の上限値よりも高調波の下限値が基準値に近い値の場合には、基底波の上端と高調波の下端が一部重なって合成されることになる。
【００３４】
波形なまり１５２ｆは、合成波における波形なまりを形成するための情報である。具体的には、波形なまりは、「位置」と、各位置における高調波の出力強度（上限値および下限値）の割合を示す「変化係数（％）」とが対応付けられて登録されている。なお、位置は、１周期あたりの波形の位置を示す情報である。１周期あたりの波形の位置に応じて高調波の出力強度の割合が変化係数によって決定されるため、波形なまり１５２ｆに登録された情報に基づいて合成波の波形なまりの形状が決定される。なお、波形なまり１５２ｆには、高調波の出力強度の割合に加えて、基底波の出力強度（上限値および下限値）の割合を示す値が登録されていても良い。
【００３５】
このような波形マスター情報１５２は、治療目的に応じた電気信号の生成に用いられる。
【００３６】
設定情報１５３は、メニュー画面４００を介してユーザが入力した治療に関する設定情報１５３である。設定情報１５３には、例えば波動種類（それらの組み合わせを含む）、治療目的、強度、所要時間などが登録されている。
【００３７】
図１に戻って説明する。制御部１６０は、電気信号生成装置１００および波動出力パッド２００の動作を制御する機能部である。具体的には、制御部１６０は、合成波生成部１６１と、調整変換部１６２と、電気信号出力部１６３とを有している。
【００３８】
合成波生成部１６１は、基底波および高調波を合成した合成波を生成する機能部である。具体的には、合成波生成部１６１は、治療目的と、強度と、所要時間とを設定情報１５３から特定する。また、合成波生成部１６１は、治療目的ＩＤ情報１５１を用いて設定された治療目的のＩＤを特定し、かかるＩＤが対応付けられたレコードを波形マスター情報１５２から特定する。また、合成波生成部１６１は、特定したレコードに登録されている情報に基づいて、基底波および高調波を合成した所定単位（例えば、１周期分、半周期分、または２〜１０周期分）の合成波をデジタル信号として生成する。より具体的には、合成波生成部１６１は、波形マスター情報１５２を用いて、組み合わせエントリーごとに、基底波および高調波の周波数に基づき特定される基底波および高調波の１周期分の基底波および高調波の合成波をデジタル信号として生成する。
【００３９】
調整変換部１６２は、合成波生成部１６１が組み合わせエントリーごとに生成した所定周期分の合成波を組み合わせ、かつ、出力強度を調整した一連のデジタル信号を生成する機能部である。具体的には、調整変換部１６２は、記憶部内の所定情報（図示せず）を用いて、治療目的に応じた所定の組み合わせ順序となるように組み合わせエントリーごとに生成した合成波同士を組み合わせた一連の波形を生成する。また、調整変換部１６２は、設定情報に含まれている施術の所要時間に基づいて、生成した一連の波形を構成する各々の合成波を何周期分生成するかを決定する。また、調整変換部１６２は、設定情報１５３に含まれる強度に基づいて、合成波の出力強度を調整する。このようにして、基底波および高調波を組み合わせた一連の合成波のデジタル信号が生成される。
【００４０】
図４〜７は各々、電気信号生成装置１００で生成された合成波の一例を示した図である。なお、図４〜７は、ある１つの組み合わせエントリーに係る合成波の一部を例示している。図４の合成波は、矩形の基底波５０１と、基底波の上端に位置する矩形の高調波５０２とで構成されている。
【００４１】
なお、ｈ１は、基底波５０１の出力強度の上限値と基準値の差により定まり、ｈ２は、基底波５０１の出力強度の下限値と基準値との差により定まる。いずれの出力強度も、メニュー画面を介してユーザが入力した強度に基づき設定されるか、あるいは治療目的ごとに予め設定された設定値が記憶部１５０に格納され、それを用いて設定される。また、ｈ３は、高調波５０２の出力強度の上限値および下限値の差によって定まり、高調波５０２の深度を表している。なお、ｈ１（またはｈ２）＋ｈ３＝ｈ４とした場合、ｈ４に対する高調波５０２の深度ｈ３の取り得る範囲は０〜１００％であって、基底波の上端に高調波を合成する場合には３０％〜７０％である。また、例えば、音声などをダイレクトに載せるときや低周波筋肉刺激を主目的とする場合は、かかる深度ｈ３を１００％に近づける（ｈ４の長さに近づける）ことで、高調波のみに近い出力を得られる。
【００４２】
また、図５に示す合成波は、基底波（上限値および下限値がほぼ０）５０１と、基底波５０１に比べて著しく深度が深い矩形の高調波５０２とから構成され、高調波５０２が立ち上がる側の上端に波形なまり５０３が形成されている。このような波形なまり５０３は、波形マスター情報１５２において、高調波５０２が立ち上がる位置Ｐに相当する１周期あたりの波形の「位置」に対応付けられている「変化係数（上限値）」の値が１００（％）未満（例えば、８０）から徐々に１００（％）に近づく値が登録されていることに基づく。なお、ｄ１は、波形なまり５０３の深度であり、その位置（本例では、高調波の立ち上がる側）を波形なまり５０３の分布とする。また、ｈ１（またはｈ２）＋ｈ３＝ｈ４とした場合、ｈ４に対する波形なまり５０３の深度ｄ１の取り得る範囲は０〜１００％であって、好ましくは３０％〜５０％である。
【００４３】
また、図６に示す合成波は、矩形の基底波５０１と、基底波５０１の上端に位置する矩形の高調波５０２とで構成され、高調波５０２の上端５１０と下端５２０にアーチ状の波形なまりが形成されている。高調波５０２の１周期あたりの深度ｈ３（高調波の出力強度の上限値および下限値の差分）は一定であり、波形なまりの形状は、１周期あたりの波形の「位置」に対応付けられている変化係数（上限値および下限値）の値に基づき形成されたものである。なお、ｄ２は波形なまりの深度である。なお、高調波５０２の下端５２０のアーチ状の波形なまりは、上端５１０のアーチと同じ形状であっても良く、あるいは、ｈ３ｎ：波形の立ち上がり位置における高調波の下端から、波形なまりが形成されている上端までの長さ、ｈ４ｎ：波形の立ち上がり位置における基底波の下端から、波形なまりが形成された高調波の上端までの長さ、ｈ３ｍ：波形なまりが形成されている高調波の下端から上端までの長さ、ｈ４ｍ＝基底波の下端から高調波の上端までの長さ、とした場合に、ｈ３ｎ／ｈ４ｎ＝ｈ３ｍ／ｈ４ｍ＝所望の深度（例えば、５０％）という関係が成立するように形成されても良い。また、このような関係を満たすように、波形なまりが形成されている高調波の長さｈ３ｎを算出しても良い。
【００４４】
また、メニューの「３．強度」は、波形深度や波形なまりに対する指定を示す。例えば、強度のハードが選択された時には、波形深度が０から１０％であり、ミディアムの場合は１０〜２０％、ソフトの場合は２０〜４０％、超ソフトの場合は４０〜６０％となり、波形なまりについては、ハードが選択された時には、基底周波数の波形の先頭と終端でのなまりが０〜１０％、ミディアムの場合は１０〜２０％、ソフトの場合は２０〜４０％、超ソフトの場合は４０〜６０％とするなどである。また、ここで波形深度、波形なまりの片方を対象にしても、これらを組み合わせても良い。
ここでは４種類に分類したが、値で連続的に設定、調整しても良いものである。
【００４５】
また、図７に示す合成波は、矩形の基底波５０１と、基底波５０１の上端に位置する矩形の高調波５０２とで構成され、高調波の上端５１０にアーチ状の波形なまりが形成されている。このような波形なまりの形状は、図６の合成波と同様、１周期あたりの波形の「位置」に対応付けられている変化係数（上限値）の値に基づき形成されたものである。なお、ｄ３は波形なまりの深度である。
このように、波形なまりを持たせることで、低刺激を実現することができる。特に低周波（例えば１Ｈｚ〜１２０Ｈｚ）において改善ができる。これにより、低い刺激で長時間の施術が可能になり、効果が期待できる。
【００４６】
図１に戻って説明する。電気信号出力部１６３は、デジタル信号をアナログ信号に変換し、入出力部１４０を介して、合成波のアナログ信号を波動出力パッド２００に出力する機能部である。具体的には、電気信号出力部１６３は、合成波生成部１６１および調整変換部１６２によって生成された合成波のデジタル信号をアナログ信号に変換する。また、電気信号出力部１６３は、設定情報１５３を用いて設定されている波動種類を特定し、入出力部１４０を介して、特定した種類の波動作用部を有する波動出力パッド２００に合成波の波形を示すアナログ信号を出力する。
【００４７】
以上、電気信号生成装置１００の機能構成について説明した。
【００４８】
次に、電気信号生成装置１００のハードウェア構成について説明する。
【００４９】
図８は、電気信号生成装置１００のハードウェア構成の一例を示した図である。図示するように、電気信号生成装置１００は、入力装置６０１と、表示装置６０２と、演算装置６０３と、主記憶装置６０４と、補助記憶装置６０５と、合成波発生器６０６と、入出力インターフェイス６０７と、これらの装置を相互に電気的に接続するバス６０８とを有している。
【００５０】
入力装置６０１は、タッチパネルやテンキーなどのハードキーである。表示装置６０２は、例えば液晶ディスプレイや有機ディスプレイなどである。表示装置６０２には、例えば波動出力パッド２００に電気信号が出力されていることを視覚的に表示するために、出力強度がアナログ表示される。このような表示のために、電気信号生成装置１００は、電流計あるいは電圧計（いずれも図示せず）が内蔵されている。これにより、ユーザは、電気信号が波動出力パッド２００に出力されているか否かを目視でき、電気信号生成装置１００の起動や停止中を確認することができる。また、例えば出力強度の値、波動出力パッド２００の使用状態（例えば、人体への貼り付き面積、剥がれ状態、肌との密着の状態など）を表示装置６０２に表示しても良い。これは、波動出力パッド２００への通電状態に基づき検知することができる。電気信号生成装置１００は、このような検知を行う機能を有した機能部を備えていても良い。
【００５１】
演算装置６０３は、例えばＣＰＵ（Ｃｅｎｔｒａｌ  Ｐｒｏｃｅｓｓｉｎｇ  Ｕｎｉｔ）である。主記憶装置６０４は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリ装置である。補助記憶装置６０５は、デジタル情報を記憶可能ないわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００５２】
合成波発生器６０６は、基底波と高調波とを合成し、所望の波形形状をした合成波の電気信号を発生させる信号発生器（パルスジェネレータ）である。
【００５３】
入出力インターフェイス６０７は、波動出力パッド２００や外部音声の入力装置３００を電気的に接続する接続端子である。
【００５４】
以上、電気信号生成装置１００のハードウェア構成について説明した。
【００５５】
このような電気信号生成装置１００の入力受付部１１０、表示部１２０および設定情報登録部１３０は、演算装置６０３に処理を行わせるプログラムによって実現される。このプログラムは、主記憶装置６０４あるいは補助記憶装置６０５に記憶され、プログラムの実行にあたって主記憶装置６０４上にロードされ、演算装置６０３により実行される。また、合成波生成部１６１は、合成波発生器６０６により実現される。また、記憶部１５０は、主記憶装置６０４または補助記憶装置６０５あるいはこれらの組合せにより実現される。また、調整変換部１６２および入出力部１４０は、入出力インターフェイス６０７により実現される。
【００５６】
入出力インターフェイス６０７による合成出力信号は、例えばデジタル信号で得た合成波信号をアナログ変換する。また、さらに、例えば、増幅回路で増幅し電圧を最大で６０Ｖ付近に上げることで、信号を得ることができる。また、この際、電流量の過大流出を防止するため、電流制限ダイオード（例えば３０ｍＡ以下、好ましくは１０ｍＡ以下）などで電流量を制限し安全性を高める構成とする。この際、例えば両極性方向に対して設けることができる。さらに、例えば、電流制限ダイオードを直列に設けることで、より安全性を高めることができる。また、マイクロカレント治療（繊維芽細胞の活性化や打撲捻挫などの回復）においては、２００μＡ以下、好ましくは５０μＡ以下、より好ましくは３０μＡの制限を設けることができる。安全性を高めるために電圧制限として、例えば、１２．５Ｖ以下とする制限を加えても良い。
【００５７】
また、電気信号生成装置１００の上記の各構成、機能、処理部および処理手段等は、それらの一部または全部を、例えば集積回路で設計する等によりハードウェアで実現しても良い。
【００５８】
次に、波動出力パッド２００について説明する。
【００５９】
図９（ａ）、（ｂ）は、波動出力パッド２００の一例を示した図である。波動出力パッド２００は、人体に貼り付けて使用される可撓性の導電パッド２０１から形成されている。また、波動出力パッド２００は、電流波動作用部２１０と、音波波動作用部２２０と、電磁波波動作用部２３０と、各作用部と電気信号生成装置１００とを電気的に接続する個々の接続線２０２とを有している。図９（ａ）は、電流波動作用部２１０と音波波動作用部２２０とを備えた波動出力パッド２００を示している。図９（ｂ）は、音波波動作用部２２０と電磁波波動作用部２３０とを備えた波動出力パッド２００を示している。なお、図示しないが、１つの波動出力パッド２００が、電流波動作用部２１０、音波波動作用部２２０および電磁波波動作用部２３０の全てを備えていても良い。以下では、電流波動作用部２１０、音波波動作用部２２０および電磁波波動作用部２３０の全てを備えている波動出力パッド２００を用いた場合を想定して説明する。また、波動出力パッド２００の大きさは、例えば縦５ｃｍ〜１０ｃｍ、横３ｃｍ〜６ｃｍ、厚み２ｍｍ〜１０ｍｍ（電源取り入れ部の盛り上がり部を除く）である。
【００６０】
（電流波動作用部）
電流波動作用部２１０は、電気信号生成装置１００から出力された電気信号に基づいて、波動出力パッド２００が貼り付けられた身体に微弱電流（マイクロカレント）を通電させる作用部である。具体的には、電流波動作用部２１０は、電気信号生成装置１００に接続されている接続線２０２と、人体に接する電極部２０３とを有している。電極部２０３は、導電パッド２０１の表面に重ねて貼り付けられている。また、電極部２０３は、その表面積を２等分する基準線（図示せず）を中心に片側半分が正極（または負極）となっており、他方側半分が負極（または正極）となっている。なお、電極部２０３の表面には、導電性のゲル（ジェル）が塗布、または、貼り付けされている。接続線２０２を介して電気信号生成装置１００からの電気信号が電流波動作用部２１０に入力すると、合成波の波形を示す微弱電流に変換され、電極部２０３を介して人体に出力される。導電部のゲルは貼り付け機能があるが、より確実に貼り付けるために、波動出力パッド２００を別テープ材で張り付けても良い。図示しないが、例えば、小型の電気信号生成装置１００と電池を波動出力パッド２００に搭載して施術部に貼り付けても良い。波動出力パッド２００の上部からテープで全体や一部を覆う様に装着しても良い。また、無線装置（例えばブルートゥース）と通電機能と波動出力パッド２００と電池を組み合わせて、別体の電気信号生成装置１００からの信号を無線で受け取り、波動出力パッド２００に通電する仕組みとしても良い。さらに電池は充電式や、太陽光発電としても良い。
【００６１】
なお、波動出力パッド２００は、複数枚から構成されていても良い。例えば、波動出力パッド２００は、２枚１組で構成され、一方の側に設けられた導電パッド２０１の表面には正極の電極部２０３が貼り付けられている。また、他方の側に設けられた導電パッド２０１の表面には負極の電極部２０３が貼り付けられている。このような波動出力パッド２００は、正極側の導電パッド２０１を有する第１の波動出力パッド２００と、負極側の導電パッド２０１を有する第２の波動出力パッド２００とで患部付近を挟み込むようにして人体に貼り付けることで、合成波の波形を示す微弱電流を患部に流すことができる。
【００６２】
また、電流波動の波動出力パッド２００は、上記以外のものに限られない。図１０は、電極の位置が移動（以後中心軸回転型と記載）する波動出力パッド２００の第１の例を示した図である。かかる波動出力パッド２００は、円の中心に配置されている電極（電極９）と、円周に沿って配置されている複数の電極（電極１〜８）とを有する電流波動作用部２１０と、各電極と電気信号生成装置１００の入出力部１４０とを電気的に接続する接続線２０２とを有している。なお、各電極の極性は、電気信号を波動出力パッド２００に出力する電気信号出力部１６３により制御される。
【００６３】
波動出力パッド２００は、時間経過に従って電極の位置を移動させることで、人体に微弱電流を流す通電位置や通電方向を移動（変化）させることができる。図１１（ａ）は、電極の移動タイミングに関する第１の例を示した図である。かかる移動タイミングは、電極９を負極とし、陽極を時間経過に従って電極１から電極８に次々と移動させる。これにより、通電位置は、時間経過に従って左回りに変化する。
【００６４】
図１１（ｂ）は、電極の移動タイミングに関する第２の例を示した図（以後フラッシュ回転型と記載）である。この移動タイミングは、電極９の極性を時間経過に従って陰極と陽極とが交互になるようにし、電極９とは反対の極性を時間経過に従って電極１から電極８に次々と移動させる。これにより、通電位置が時間経過に従って左回りに変化すると共に、通電方向も電極１〜８の移動に伴って交互に変化する。
【００６５】
図１１（ｃ）は、電極の移動タイミングに関する第３の例を示した図（周囲回転型）である。この移動タイミングは、対向する位置にある電極（例えば、電極１と電極５）を異なる極性（電極１が陽極の時、電極５を負極）とし、その関係性を維持しながら陽極および負極を左回りに次々と移動させる。これにより、通電位置が時間経過に従って左回りに変化し、あるタイミング（電極８が陽極となった次のタイミング）で通電方向が変化する。ここでは、左回りを基本にしているが、右回りとしても良く、定期的に回転を変えても良い。手で擦る場合、一般的に左回りが効果があるとも言われているが、部位や性別により効果ある回転方向が変わるとも言われている。回転タイミングは、一周０．５秒から８秒、好ましくは1秒から５秒が良い。これらは、手で撫でる手当効果に近い効果が得られる。また、ここでは、例えば電極１から電極２、電極２から電極３へと順にプラス（＋）が移動する場合、例えば、電極２に移った時には電極１にも１／２程度の＋の電荷を掛け、電極３にも１／２程度の＋の電荷を掛けて、電極３に＋の電位が移った時には電極２には１／２程度の＋の電荷を掛け、電極１の電荷を０とする様に、各電極に回転するように徐々に電圧を上げ、徐々に電圧を下げていく仕組み（ソフト変化形式）をとする。ここでの説明は、移動電極と移動電極の前後にのみ電位をかけているが、移動電極の前々、後の後と言った様に複数まで少ない電位をかけても良い。また、前だけ、後ろだけに電位をかけても良く、これらの組合せを設けても良いものである。
【００６６】
図１２（ａ）は、電極の移動タイミングに関する第４の例を示した図（全体反転型）である。この移動タイミングは、電極１〜８において、隣り合う電極（例えば、電極１と電極２、電極２と電極３など）を異なる極性（電極１が陽極の時に電極２を陰極、電極２が陰極の時に電極３を陽極）とし、その関係性を維持しながら同時に通電させ、次のタイミングで各電極の極性を入れ替える（電極１、３等を陰極にし、電極２を陽極にする）。これにより、時間経過によっても通電位置は変化せず、通電方向が変化する。
【００６７】
図１２（ｂ）は、電極の移動タイミングに関する第５の例を示した図（全体中心反転型）である。この移動タイミングは、電極１〜８を同じ極性とし、電極９を異なる極性として、その関係性を維持しながら同時に通電させ、次のタイミングで電極１〜８の極性と電極９の極性を入れ替える。これにより、時間経過によっても通電位置は変化せず、通電方向が変化する。
【００６８】
なお、電極の移動方向や移動タイミングは上記の例に限られるものではなく、通電位置が右回りに回転するように電極の移動タイミングを変化させても良い。また、複数の波動出力パッド２００を使用して、双方の波動出力パッド２００の電流作用部で患部を挟み込み、両電流作用部間に電流が流れるように電極１〜９を制御しても良い。また、この場合も、通電位置および通電方向が変化するようにしても良い。また、電極１から４に正電極、電極５から８に負電極として、交互に入れ替えても良い。また、波動出力パッド２００の形状は円形に限られず、楕円形であっても良く、さらには、例えば、半円形状で電極１から電極５までで構成されても良い。これらは主に、患部の上部に中心を配置し、患部を取り囲む様に電流を流し、変化させることで、治癒を促すことが考えられる。
【００６９】
図１３（ａ）は、電極の位置が移動する波動出力パッド２００の第２の例を示した図である。図示するように、波動出力パッド２００は、横並びに配置された電極１〜電極Ｘを有する電流波動作用部２１０と、各電極と電気信号生成装置１００の入出力部１４０とを電気的に接続する接続線（図示せず）とを有している。なお、各電極の極性は、電気信号を波動出力パッド２００に出力する電気信号出力部１６３により制御される。
【００７０】
電流波動作用部２１０は、隣り合ういずれか２つの電極が異なる極性となるようにし、その関係性を維持しながら陽極および負極が右方向あるいは左方向に移動する。これにより、通電位置が時間経過に従って右方向あるいは左方向に移動する。なお、間に単数または複数の電極を挟んだ両端の２つの電極が異なる極性となるようにし、その関係性を維持しながら陽極および負極を移動させるようにしても良い。
【００７１】
図１３（ｂ）は、電極の位置が移動する波動出力パッド２００の第３の例を示した図である。図示するように、波動出力パッド２００は、上列の横並びの電極１（上）〜電極Ｘ（上）と、下列の横並びの電極１（下）〜電極Ｘ（下）とが上下に配置されている電流波動作用部２１０と、各電極と電気信号生成装置１００の入出力部１４０とを電気的に接続する接続線（図示せず）とを有している。なお、各電極の極性は、電気信号を波動出力パッド２００に出力する電気信号出力部１６３により制御される。
【００７２】
電流波動作用部２１０は、上列および下列の電極において、隣り合ういずれか２つの電極が異なる極性となるようにし、かつ、相互に向き合う上列の電極と下列の電極とが異なる極性となるようにして、その関係性を維持しながら陽極および負極が右方向あるいは左方向に移動する。この場合、上列と下列とで同じ方向に移動させても良いし、異なる方向に移動させても良い。あるいは、電極１（上）から電極Ｘ（上）までの隣り合う電極および電極１（下）から電極Ｘ（下）までの隣り合う電極が相互に異なる極性となるようにし、かつ、相互に向き合う上列の電極と下列の電極とが異なる極性となるようにして同時に通電させても良い。例えば、筋肉をリラックスする方法として筋弛緩法があり、筋弛緩法とは、「筋肉を意図的に緊張させてから緩める」ことで、心と身体をリラックスさせる方法である。また、石灰化した筋肉を指圧する方法として緩消法があり、筋肉の中の石灰化した成分を細分化して血流に流す方法などがある。ここで、例えば、筋肉の筋方向を図１３（ａ）や（ｂ）の図横方向に配し、筋肉の筋方向に電荷を変化して加えることで、筋肉内の老廃物を筋肉の収縮や血管の収縮を利用して細分化や分解、流動化して血流により流しだすことが期待出来る。この際、同一箇所を（１）「数回（例えば、３から８回）２秒前後（例えば、１秒から４秒）電荷を与え（間をあけず例えば、５秒から２０秒の連続した時間としても良い）」、（２）「２秒前後（例えば、１秒から５秒）電荷与えるのを停止」し、（３）「隣の電極に移り」、（１）と（２）を行う、そして、次の電極に移り、また、（１）と（２）を行う、ことで電極の移動を繰り返すことにより老廃物の排出を促す。電極の位置の移動は例えば電極が１，２，３，４，５と連続しているとき、電極３の後、４、２、５、１の様に横に広がる動きなどでも良い。その他、上記図１１、図１２に示した方法に準じた電荷のかけ方でも良い。
【００７３】
図１３（ｃ）は、電極の位置が移動する波動出力パッド２００の第４の例を示した図である。図示するように、波動出力パッド２００は、横並びの電極１〜電極Ｘと、その上下に配置され電極１から電極Ｘまでの長さを有する帯状電極と、を有する電流波動作用部２１０と、各電極と電気信号生成装置１００の入出力部１４０とを電気的に接続する接続線（図示せず）とを有している。なお、各電極の極性は、電気信号を波動出力パッド２００に出力する電気信号出力部１６３により制御される。
【００７４】
電流波動作用部２１０は、隣り合ういずれか２つの電極が異なる極性となるようにし、その関係性を維持しながら陽極および負極が右方向あるいは左方向に移動する。また、帯状電極は、上側と下側とで異なる極性となるようにする。
【００７５】
（音波波動作用部）
音波波動作用部２２０は、電気信号生成装置１００から出力された電気信号に基づいて、波動出力パッド２００が貼り付けられた身体に音波波動を伝搬させる作用部である。具体的には、音波波動作用部２２０は、電気信号生成装置１００に接続されている接続線２０２と、音波を発生させる音波発生部（図示せず）とを有している。音波発生部は、接続線２０２を介して電気信号生成装置１００から入力された電気信号が流れるコイル（図示せず）と、コイルに接続されている振動板とを備えた小型のスピーカ構造をしている。音波発生部は、電気信号がコイルに流れることにより振動板が振動し、合成波の波形を示す音波波動を発生させる。
【００７６】
（電磁波波動作用部）
電磁波波動作用部２３０は、電気信号生成装置１００から出力された電気信号に基づいて、波動出力パッド２００が貼り付けられた身体に電磁波波動を伝搬させる作用部である。具体的には、電磁波波動作用部２３０は、電気信号生成装置１００に接続されている接続線２０２と、電磁波を発生させる電磁波発生部とを有している。電磁波発生部は、接続線２０２を介して電気信号生成装置１００から入力された電気信号が流れるコイル２３１で構成されている。コイル２３１は、波動出力パッド２００の外周を周回するように設けられている。電磁波発生部は、コイル２３１に電気信号が流れることにより、電場および地場を生じさせ、合成波の波形を示す電磁波を発生させる。
【００７７】
以上、波動出力パッド２００について説明した。
【００７８】
［動作の説明］
設定情報登録部１３０は、入力受付部１１０を介して、表示装置６０２に表示されたメニュー画面４００を介して設定に関する情報の入力を受け付けると、かかる入力情報を登録した設定情報１５３を生成し記憶部１５０に格納する。
【００７９】
また、入力受付部１１０は、図示しないメニュー画面４００を介して設定情報１５３のいずれかが選択され、スタートボタンの押下を受け付けると、合成波生成部１６１に合成波の生成を指示する。合成波生成部１６１は、選択された設定情報１５３を記憶部１５０から特定し、特定した設定情報１５３を用いて基底波および高調波を合成した合成波の電気信号を生成する。
【００８０】
また、電気信号出力部１６３は、波動種類を設定情報１５３から特定すると、生成された電気信号を出力する対象の波動作用部を特定し、かかる波動作用部に電気信号を出力する。波動作用部は、電気信号が入力されると、これを対応する種類の波動に変換し、波動出力パッド２００に接する人体に伝搬させる。
【００８１】
このような電気信号生成装置１００によれば、治療目的に応じて人体に作用させる波動の波形を制御し、多くの人がより満足した治療を受けられる波形の波動を生成することができる。また、このような波動出力パッド２００によれば、電流、音波および電磁波といった各種の波動を人体に直接作用させることができる。その結果、疲労回復や疾病の治癒などの効果を期待することができる。異なる種類の波動を同じタイミングで人体に作用させることもできる。そのため、一種類の波動を単発的に作用させる場合に比べて、より大きな作用効果を期待することができる。
【００８２】
＜第二実施形態＞
前述の第一実施形態に係る電気信号生成装置１００は、低周波の矩形波である基底波の上端に高周波の矩形波である高調波を合成し、高調波の出力強度を制御して波形なまりを形成した合成波の電気信号を生成したが、本発明はこれに限定されるものではない。第二実施形態に係る電気信号生成装置１００の合成波生成部１６１は、基底波に波形なまりを形成し、その上端形状に沿わせて高調波の出力強度の上限値を調整した合成波を生成する。
【００８３】
図１４は、基底波に形成した波形なまりの一例を示した図である。このような基底波の波形なまりは、例えば波形マスター情報１５２の波形なまり１５２ｆに基底波の位置および上限値および下限値に対応する変化係数が対応付けられて登録されているか、あるいは別な情報（例えば、テーブル情報）として、基底波周波数テーブル（基底波周波数に対し、波形なまり情報が対応付けされて、さらに、基底周波数テーブルには基底波周波数に対し、高調波周波数情報が設定されていても良い）に同様の設定形式で設定がされていることを前提とする。図１４は、高調波の設定がない場合を例示している。なお、基底波の波形なまりの形成方法は、高調波の波形なまりの形成方法と同様であるため、詳細な説明は省略する。また、基底波には必ずしも高調波が合成される設定となっていなくても良く、例えば波形マスター情報１５２の高調波周波数が０の状態は高調波の合成がないことを示している。
【００８４】
合成波生成部１６１は、例えば波形マスター情報１５２に登録されている波形なまり１５２ｆの情報に基づいて、図示する様々な形状の波形なまりを基底波に形成することができる。
【００８５】
図１５（ａ）は、基底波の上端形状に合わせて高調波を合成した合成波の第１の一例を示した図である。図示するように、合成波生成部１６１は、波形マスター情報１５２を用いて基底波に波形なまりを形成する。また、合成波生成部１６１は、波形なまりが形成されている基底波の上端形状に沿うように高調波の上限値を調整した合成波を生成する。なお、基底波および高調波のいずれも途切れることなく連続している。
【００８６】
図１５（ｂ）は、基底波の上端形状に合わせて高調波を合成した合成波の第２の例を示した図である。合成波生成部１６１は、図示するように、波形の立ち上がりから基底波の上端までと、波形の立ち下がりから基準値までと、を高調波で構成されるように基底波および高調波を合成する。このような合成波は、高調波の上限値が基底波の上限値に達した時点で高調波が途切れて基底波のみとなる。
【００８７】
このような合成波の波形を示す電気信号によっても、多くの人がより満足した治療を受けられる波動を生成することができる。
【００８８】
＜第三実施形態＞
第三実施形態に係る電気信号生成装置１００は、高調波に外部音声を使用した合成波の波形を示す電気信号を生成し、波動出力パッド２００の音波波動作用部２２０に出力する。なお、外部音声は、外部音声の入力装置３００であるマイクロフォンあるいは録音済みデータ（記憶メモリ上にあるデータ）を介して取得して音声情報を用いる。なお、音声情報は、例えば施術時にマイクロフォンを介して集音したユーザの音声を用いても良く、あるいは予め録音された音声を用いても良い。
【００８９】
図１６は、人間の発する母音（「あ」、「い」、「う」、「え」、「お」）の各波形を示した図である。合成波生成部１６１は、外部音声として、例えばマイクロフォンからユーザの発する母音（例えば、「効くー」という音声を伸ばした時の「ウ」や、「効けー」という音声を伸ばした時の「エ」など）の波形や、例えば「効けー」という母音以外も含む全体音を高調波として基底波に合成する。具体的には、合成波生成部１６１は、母音の波形を基底波の上端あるいは母音の波形の上限値を基底波の上端形状に沿わせた合成波を生成（例えば、高調波の深度の設定値を使用しても良い）し、入出力部１４０を介して、音波波動作用部２２０を有する波動出力パッド２００に出力する。
【００９０】
図１７（ａ）は、音声（ここでは、母音を例とする）の波形を基底波の上端に合成した合成波の波形の一例を示した図である。図１７（ｂ）は、音声（母音）の波形の上限値を基底波の上端形状に沿わせた合成波の波形の一例を示した図である。なお、合成波生成部１６１は、音声による高調波のみの波形を生成しても良い。あるいは、合成波生成部１６１は、基底波の形状に合わせる際や所望の波形形状となるように音声による高調波の振幅を圧縮したり引き伸ばしても良い。
【００９１】
このような合成波の波形を示す電気信号によっても、多くの人がより満足した治療を受けられる波動を生成することができる。
【００９２】
また、音声は、基音と基音よりも周波数の高い上音から構成され、上音の中に基音の周波数の整数倍に相当する倍音（および倍音よりも高い周波数成分である高次倍音）という周波数成分がある。電気信号出力部１６３は、この倍音の波形を含む母音の高周波を示す波形の電気信号を音波波動作用部２２０に出力しても良く、倍音の波形を示す電気信号を母音の高調波を示す波形の電気信号と共に音波波動作用部２２０に出力しても良い。なお、倍音の成分は、治療を受ける人の音声から抽出されても良く、倍音の成分として予め記憶部１５０に格納されているものを用いても良い。
【００９３】
このような音声波動を出力させることにより、施術において癒し効果が高まることが期待できる。
【００９４】
図１８は、波動出力パッド２００の他の一例を示した図である。図示するように、波動出力パッド２００は、電流波動作用部２１０と、音波波動作用部２２０と、電磁波波動作用部２３０とを備え、電磁波波動作用部２３０には、音波波動作用部２２０に接続されている接続線２０２を延長して接続した共通配線の構成になっている。また、電磁波波動作用部２３０は、電磁石２５０により形成されている。接続線２０２により電磁石２５０に電流（電気のアナログ信号）が流れると、電磁石２５０から電磁波が出力される。
【００９５】
＜その他の変形例＞
本発明は、上記実施形態に限られるものではなく、様々な変形例が可能である。例えば、設定された施術の所要時間内に電気信号を出力しないインターバル時間を設けても良い。また、施術の開始時と、インターバル時間への移行時と、施術への復帰時と、施術の終了時に電気信号の出力強度を緩やかに変化させても良い。図１９は、インターバル時間を設け、状況に応じて出力強度を緩やかに変化させた波形を示す図である。
【００９６】
具体的には、電気信号出力部１６３は、施術を繰り返し行う。例えば、１クールは所定時間（例えば、３分間、好ましくは２分以内）行った後に所定時間（例えば、２０秒、好ましくは３０秒以上）のインターバル時間Ｔ１を設け、その後に次の組み合わせエントリーに対応する合成波を示した波動の出力を行い、設定されている組み合わせたエントリー分を繰り返し出力制御する。なお、組み合わせエントリー数は、例えば１〜約３０を設定できる。なお、このような組み合わせエントリーの数（１〜ｎ）は、治療目的に対応付けて予め波形マスター情報１５２で定義されていれば良い。
【００９７】
また、施術の開始時Ｔ２と、インターバル時間への移行時Ｔ３と、施術への復帰時Ｔ４と、施術の終了時（図示せず）に電気信号の出力強度を緩やかに変化させても良い。例えば、合成波生成部１６１は、施術の開始時Ｔ２とインターバル時間から施術への復帰時Ｔ４は、電気信号の出力強度を徐々に強くした合成波を生成し、インターバル時間への移行時Ｔ３と施術の終了時には電気信号の出力強度を徐々に弱くした合成波を生成する。
【００９８】
このようなインターバル時間を設けることにより、ユーザが施術で疲れを感じ難くすることができ、多くの人により満足した治療を受けさせることに寄与することができる。
【００９９】
また、状況に応じて出力強度を緩やかに変化させることで、ユーザをより満足させることができる。特に、施術の開始時やインターバル時間からの復帰時に出力強度を徐々に強くすることで、人体で感じる波動の刺激を軽減させることができる。また、インターバル時間への移行時や施術の終了時に出力強度を徐々に弱くすることで、丁寧な施術の印象を与えることができる。
【０１００】
なお、図１９に示す波形は、基底波に波形なまりを形成し、高調波の上限値を基底波の上端形状に沿わせることで形成することができる。また、基底波を正弦波やそれに近似的な波形としても良い。
【０１０１】
なお、電気信号生成装置１００は、波形のデジタル信号を施術の経過時間に追従してリアルタイムに生成し、それをアナログ信号に変換して出力しても良い。あるいは、電気信号生成装置１００は、組み合わせエントリーごとに所定周期分（例えば、１周期分）の合成波のデジタル信号を生成して記憶部１５０などに記憶しておき、必要に応じて記憶部１５０から取り出し、それらを所望の並び順に組み合わせ、要求される出力強度および時間長さを調整し、そのデジタル信号をアナログ信号に変換して出力しても良い。あるいは、電気信号生成装置１００は、施術の開始から終了まで全体のデジタル信号を予め生成して記憶部１５０などに記憶しておき、施術時にそれを読み出して使用するようにしても良い。また、その際、合成波発生器６０６、および入出力インターフェイス６０７は指定された一連のデジタル信号をメモリより読み取りをアナログ信号に変換出力する役割となる。
【０１０２】
全体の大きな流れとして、入出力インターフェイス６０７による合成出力信号は、基底波周波数に高調波深度と波形なまりの変化係数から高調波の値を求め、施術の開始から終了の増減値、そしてインターバル時間を含めた１クール分に対応して出力強度をタイムテーブルにデジタル値として求め、合成電気信号としてアナログ変換し指定された強度に従い出力される。高調波深度や深度分布、波形なまりの分布、１クールの強度の変化を分布化したデータは、各テーブルに設定された値を参照すると共に、メニューから入力された、または、内部設定された波形強度（例えば、ハード、ベーシック、ミディアム、ソフト）に対応して使用エントリーが異なるようにすることができる。ここでは、１クール分の出力タイムテーブルにデジタル値を先に求め、次に１クール分の出力を行っている。また、ここで、インターバルタイマー時間を含めなくとも良い。また、タイムテーブルを設けず直接、出力値を求めながら出力を同時に行っても良い。
【０１０３】
また、複数種類の波動を同時または時間差を設けて人体に作用させても良い。図２０は、異なる波動種類の出力タイミングの一例を示した図である。この例では、電流波動と音波波動を同時に出力し、その後インターバル時間を挟んで、電磁波波動を出力した様子を示している。
【０１０４】
このような施術方法によれば、異なる種類の波動を人体に作用させることができるため、より有効な治療効果を期待することができる。
【０１０５】
また、前述の実施形態に係る基底波は矩形波を用いたが、本発明はこれに限定されず、基底波を正弦波としても良い。図２１は、正弦波の基底波に音波を合成した合成波の一例を示した図である。
【０１０６】
このような波形の電気信号に基づく波動を人体に作用させた場合でも、多くの人がより満足した治療を受けられる波動を生成できる。
【０１０７】
また、各種波動は、所定の位相差を設けて出力しても良い。図２２は、位相差を設けて出力された波動の波形の一例を示した図である。図示するように、一方の電気信号の１周期分の波長を１．０とした場合、他方の電気信号の始点が、０．１〜０．９の範囲に含まれるようにずらした位相差Ｗを設ける。すなわち、２つ以上ある電気信号同士の波長を、１周期分の波長に対して１０％〜９０％の範囲でずらした位相差Ｗが設けられる。位相差Ｗは、波長同士を３０％〜８０％の範囲でずらすのが好ましい。あるいは、位相差Ｗは、波長同士を１０％〜５０％の範囲でずらすのが好ましい。なお、位相差は、電気信号出力部１６３により制御される。
【０１０８】
このように、位相差を設けて出力された波動を人体に作用させた場合も、多くの人がより満足した治療を受けられる波動を生成でき、治療効果を期待することができる。
【０１０９】
例えば、１９、２１、６１、７３、９６、１２４Ｈｚといった低周波の周波数では、弱い電圧でも身体にはきつく感じられる場合がある。一方で、このような低周波に高調波成分として３ＫＨｚや５ＫＨｚ、１０ＫＨｚを約２０％〜６０％の高調波深度で高調波を合成した合成波により施術することで、人が感じるきつさを改善させる効果が期待される。また、波形なまりを合成波の立ち上がりまたは立ち下がりの両方または一方に２０％以上入れることにより、より楽に施術を受けさせることができる。なお、施術において、１クールの組み合わせエントリーの組み合わせ順序は、治療目的ＩＤに対応付けられている組み合わせエントリーの中で基底波周波数が低い順から組み合わせることは言うまでもない。また、例えば腰痛などの施術において、効果が見込める基底周波数の組み合わせは人によって異なることが考えられる。これは、インターネット回線などのネットワークを経由して波形形成のためのデータをダウンロードする機能を設けることで柔軟に対応することができる。人に応じて効果が見込める周波数のデータの内容を調整できるからである。
【０１１０】
また、緊急対応（今までに無い症状などの発生）を考慮した場合、応急処置として、基底波周波数を僅かに変化（例えば、治療目的ＩＤごとの基底波周波数を１Ｈｚごとに上げるまたは下げる）させて調整することで、その効果をテストする機能が電気信号生成装置１００に設けられていても良い。
【０１１１】
また、前述の通り、リアルタイムにデジタル信号の波形を生成し、リアルタイムにそれをアナログ信号に変換して出力しても良いが、事前に基底波周波数に高調波や波形深度、波形なまりが合成され、それらの出力強度や時間長さなどが調整変換されたデジタル信号のパターンをメモリ上に格納しておくことで、そのデータを雛形的に用いて以後の施術においてアナログ信号を生成するようにしても良い。
【０１１２】
また、例えば電気信号生成装置１００を治療目的（治療対象）に応じた専用器としても良く、その場合、電源をＯＮにするとプリセットされたプリセット情報（施術内容を記憶し、プリセットされた情報）を読み込み、かかるプリセット情報に基づく施術が開始されるようにしても良い。これにより簡易版として安価で、操作性の良いものが可能となる。また、例えば、持病持ちのような一定の症状に対する繰り返し対応の利便性が良くなる。また、電気信号生成装置１００は、出力強度、波形深度、波形なまりなどのバリエーションをユーザが適宜選択できるようにしても良い。また、電気信号生成装置１００は、所定周波数（例えば、１６Ｈｚと２１Ｈｚ）による施術を少数（例えば、１クールや２クール）で終了するような簡易な組み合わせをユーザが選択できるようにしても良い。また、電気信号生成装置１００は、前回の施術が所定周期（１６Ｈｚと２１Ｈｚ）のみであった場合、今回の施術はその続きの周波数（例えば、６１Ｈｚ、７３Ｈｚ）から再開する機能が設けられていても良い。
【０１１３】
また、例えば電気信号生成装置１００の電気信号出力部１６３は、図１０および１３に示す波動出力パッド２００において、主として電荷を掛ける第１の電極部（例えば、図１０の電極５、図１３（ａ）〜（ｃ）の電極５）には前記基底波のみの波形から生成された電気信号を出力し、前記第１の電極部に隣接する第２の電極部（例えば、図１０の電極６、図１３（ａ）〜（ｃ）の電極６）および第３の電極部（例えば、図１０の電極４、図１３（ａ）〜（ｃ）の電極４）に対しては、前記基底波および前記高調波を合成した前記合成波を用いて生成した電気信号を出力することで、前記第１の電極部よりも前記第２の電極部および前記第３の電極部から前記人体に与えられる刺激を弱め、前記電極部の穏やかな移動の印象を与える
ことを特徴とする電気信号生成装置。
【０１１４】
また、電気信号生成装置１００は、外部装置からの制御を受け付けて、所定情報（例えば、後述の波形マスター情報など）の登録内容を変更する機能部を有していても良い。具体的には、電気信号生成装置１００は、外部装置からの制御指示を受け付ける通信部と、指示内容に応じて波形マスター情報１５２などの登録情報の内容を変更する変更部とを有している。変更部は、通信部を介して外部装置から制御指示を受け付けて、指示内容に応じて高調波の深度、波形なまりおよびインターバル時間などに関する設定情報あるいは登録情報を変更する。例えば、これら高調波の深度などの変更は、波形マスター情報１５２に登録されている値を変更することで実現される。
【０１１５】
なお、前述の電流波動、音波波動および電磁波波動は、同時に人体に作用するように出力されても良く、各々のタイミングがずれるように出力されても良い。
【符号の説明】
【０１１６】
１００・・・電気信号生成装置、１１０・・・入力受付部、１２０・・・表示部、１３０・・・設定情報登録部、１４０・・・入出力部、１５０・・・記憶部、１５１・・・治療目的ＩＤ情報、１５２・・・波形マスター情報、１５３・・・設定情報、１６０・・・制御部、１６１・・・合成波生成部、１６３・・・電気信号出力部、２００・・・波動出力パッド、３００・・・外部音声の入力装置、６０１・・・入力装置、６０２・・・表示装置、６０３・・・演算装置、６０４・・・主記憶装置、６０５・・・補助記憶装置、６０６・・・合成波発生器、６０７・・・入出力インターフェイス、６０８・・・バス
【要約】
【課題】多くの人がより満足した治療を受けられる波動を生成することができる。
【解決手段】  人体に作用させる波動を生成するための電気信号を生成する電気信号生成装置であって、低周波である基底波と、前記基底波よりも高い周波数の高調波を前記基底波に合成した所定単位の合成波を生成する合成波生成部と、前記合成波を用いて生成された電気信号を所定種類の波動に変換して人体に伝搬させる波動出力パッドに出力する電気信号出力部と、を備える。
【選択図】図１【図１】
0006745558.tif 000002
【図２】
0006745558.tif 000003
【図３】
0006745558.tif 000004
【図４】
0006745558.tif 000005
【図５】
0006745558.tif 000006
【図６】
0006745558.tif 000007
【図７】
0006745558.tif 000008
【図８】
0006745558.tif 000009
【図９】
0006745558.tif 000010
【図１０】
0006745558.tif 000011
【図１１】
0006745558.tif 000012
【図１２】
0006745558.tif 000013
【図１３】
0006745558.tif 000014
【図１４】
0006745558.tif 000015
【図１５】
0006745558.tif 000016
【図１６】
0006745558.tif 000017
【図１７】
0006745558.tif 000018
【図１８】
0006745558.tif 000019
【図１９】
0006745558.tif 000020
【図２０】
0006745558.tif 000021
【図２１】
0006745558.tif 000022
【図２２】
0006745558.tif 000023